(57)【要約】【課題】原水に含まれる空気を脱気し水素溶解に障害となる含有空気を可及的に放逐し、陰極板より生成する水素を原水に溶存しやすくして水素水の溶存水素濃度を従来に比べて格段に向上する。【解決手段】原水に超音波振動を付与した後に電気分解処理を行うこととした。また、電気分解処理中においても原水に対して超音波振動を付与することや、超音波振動処理と電気分解処理とは、卓上型のポットに収納された原水に対して行いポットから水素水を注水可能としたことにも特徴を有する。【選択図】図１
2018001069.tif 000002
【特許請求の範囲】
【請求項１】
原水に超音波振動を付与した後に電気分解処理を行うことを特徴とする電解水素水生成方法。
【請求項２】
電気分解処理中においても原水に対して超音波振動を付与することを特徴とする請求項１に記載の水素水生成方法。
【請求項３】
超音波振動処理と電気分解処理とは、卓上型のポットに収納された原水に対して行いポットから水素水を注水可能としたことを特徴とする請求項１又は請求項２のいずれかに記載の水素水生成方法。
【請求項４】
水槽部内の原水を溜水として超音波振動処理を行うことにより脱気水を生成し、脱気水を電解処理部に連続して供給しながら電気分解処理行い水素水を生成して取水することを特徴とする請求項１ないし請求項３のいずれか１項に記載の水素水生成方法。
【請求項５】
ポット本体内の水槽部と、原水を電気分解するためにポット本体内に対向して配設した陽極板と陰極板よりなる電解処理部と、原水に超音波振動を付与する超音波振動処理部とより構成したことを特徴とすることを特徴とする水素水生成装置。
【請求項６】
前記電解処理部は陽極板と陰極板の間に介在する隔膜で区画されて前記水槽部の下部にのみ配設され、酸性水領域は水槽部の液面より上方までを仕切る縦型仕切り筒体で仕切られていることを特徴とする請求項５に記載の水素水生成装置。
【請求項７】
対向して配設した陽極板と陰極板の間に介在する隔膜で区画されたアルカリ水領域のみを超音波振動処理することを特徴とする請求項５又は請求項６に記載の水素水生成装置。
【発明の詳細な説明】
【技術分野】
【０００１】
本発明は、電解水素水の生成方法、及び、好みの卓上ケースやポットなどに利用できる電解水素水生成装置に関する。
【背景技術】
【０００２】
従来、所定の容器の中で電気分解により水素水を生成する技術として特許文献１に記載のものが知られている。
【０００３】
特許文献１には、圧力容器内の空気を真空ポンプで除き、空気成分が除かれた圧力容器内に水素を充填して加圧状態となし、その圧のまま原水をシャワー状に供給して原水に多量の水素を溶解する技術が開示されている。しかし、このような製造方法は工場では実施可能であるがポットなどで手軽に水素水を製造して日常生活の中で水素水を摂取することは困難であった。
【０００４】
また、特許文献２では、ポット容器の中に一対の板状電極を収納し、これら板状電極に給電するために電池を直流電源を容器上部に設け、水を電気分解することにより、アルカリイオン水だけでなく酸性水も取り出せるアルカリイオン整水器が開示されている。同引用文献２の段落〔００２０〕に記載の通り、電気分解の際、陰極からは、水素ガスが発生し、アルカリイオン水には、水素が溶存されることになる。この際、陽極からは、酸素ガスが発生し、酸性水には、酸素が通常の水よりも多く溶存することになる。
【０００５】
特許文献３には、ポット容器の下部に水の電気分解用の電極部を設け、その上部に水道水を満たす縦型の水槽室を設けている。電極をポット容器下部に設けたことにより、水素ガスを発生する陰極と水面までの距離を最大化し、水素ガスが浮き上がるに従って、水に溶解する時間を十分に確保することにより、水素の溶存を高めている。また、陽極から発生する酸素ガス（O2）とオゾンガス（O3）は、生成ガス待機室で、大きな体積になったのち、大きな気泡として水面まで素早く浮上するため、水に溶解することはないとしている。
【先行技術文献】
【特許文献】
【０００６】
【特許文献１】特許第３６０６４６６号
【特許文献２】特開平１１−３１９８２９号公報
【特許文献３】特許第５５１４１４０号公報
【発明の概要】
【発明が解決しようとする課題】
【０００７】
近年、水素を多く含んだ「水素水」に注目が集まっており、飲料工場では、特許文献１に開示されているような方法で水素水を生成し、また、家庭等では、特許文献２、３のような簡易な方法で、水素水の生成が可能である。
【０００８】
しかし、特許文献１による水素水の生成と、特許文献２，３による水素水の生成では、水素が水に溶解する速度に大きな違いがある。以下、その内容を説明する。
【０００９】
水には、通常、空気の主要成分である窒素と酸素が溶解している、この窒素と酸素の水に対する溶解度、および、水素の水に対する溶解度は、下表の通りである。
【００１０】
表は、１気圧の気体が、０℃または20℃の時に水１［Ｌ］中に溶解する気体の質量［mg］を示したものである。たとえば、20℃の水１［Ｌ］の水に、１気圧の水素が接するときの水素の溶解度は、1.6［mg／Ｌ］である。水１［Ｌ］は1000［g］であるため、溶存する水素の質量と、水の質量とを百万分率で表して、1.6［mg／Ｌ］を1.6［ppm］と表記することもある。
【表１】
2018001069.tif 000003
【００１１】
上記の気体の溶解度は、それぞれの気体が、他の気体が混じることなく純粋な状態で、水に接したときの、溶解量を示している。混合気体では、各成分の溶解度は、それぞれの分圧に比例した溶解量となる。
【００１２】
たとえば、空気の組成は、窒素、酸素を主成分としており、窒素78％、酸素21％となっている。よって、１気圧の空気が、20℃の水に接しているときは、
窒素：20mg/L×0.78＝16mg/Ｌ
酸素：44mg/L×0.21＝9.2mg/L
が溶解していることになる。
【００１３】
この水が、特許文献１のように、空気を除去して水素ガスを充填した圧力容器中に、シャワー状に散水された場合は、窒素、酸素の分圧はゼロであるから、溶解している窒素、酸素は、水から排出され、水素のみが溶解することになる。
【００１４】
この、窒素、酸素の溶存から水素溶存への置換は、特許文献１の場合は、瞬時に行われる。なぜならば、水が、水素ガス中に、シャワー状に散水されるため、水が水素ガスに接する面積が非常に大きいからである。
【００１５】
一方、特許文献２、３の場合は、電気分解電極の陰極から発生する水素ガスが、気泡となって水中を浮き上がることになる。この際、水素気泡の周囲の水は、水素ガス100％と接することから、特許文献１の場合と同様に、窒素、酸素が水から排出され、水素が溶解することになるが、水が、水素ガスに接する面積は、特許文献１と比べると、非常に少ないことから、そのプロセスは、ゆっくりと行われることになる。
【００１６】
そのため、特許文献２、３の場合には、飲用水素水を準備するための、数十分といった限られた時間内に、水素溶存量を十分に高められないという共通の欠点があった。
【００１７】
また、特許文献２では、水面に近い部分にまで、電気分解電極が設けられており、水面に近い部分の陰極電極で発生した水素気泡は、すぐに液面に到達してしまうため、水素の溶存に十分に寄与できないという欠点があった。さらには、利用者が、長時間の電気分解時間をかけてでも、水素の溶存量を高めたいと思ったとしても、電気分解が進むにつれて、陰極側の水素が溶存した水のpH値が上昇し、飲用に適さない、pH10を超える強アルカリ水となってしまうことから、電気分解を行える時間が限られており、その時間内には、水素の溶存量を十分に高められないという欠点があった。
【００１８】
また、特許文献３では、電気分解の陰極側と陽極側が隔膜で隔てられていないため、陰極側で生成するアルカリ水と陽極側で生成する酸性水が中和し、電気分解が進むにつれて水素水のpＨ値が上昇するということは無いが、陽極から、酸素ガス（O2）と微量のオゾンガス（O3）が発生する。特許文献では３では、この混合気体は、生成ガス待機室で、大きな体積にしたのち、大きな気泡として水面まで素早く浮上させるため、水に溶解することはないとしているが、水素ガスとくらべて溶解量は少ないものの、実際には、この気泡の周囲の水では、酸素、および微量のオゾンが溶解することになり、本来行いたい、窒素、酸素の溶存から水素溶存への置換を妨げることになり、水素の溶存量を十分に高められないという欠点があった。
【００１９】
一方、先に説明した特許文献１では、生成直後は、水素の溶存量が大きい水素水を生成できるが、生成装置が大がかりとなり、工場で生成して、アルミパウチに充填して、消費者に届けることになる。しかし、水素は、透過しやすい性質をもつため、アルミパウチといえども、その栓の部分等から徐々に抜けることになり、消費者が飲用する時点では、水素の溶存量が下がってしまうという欠点があった。また、アルミパウチのコスト、輸送コストがかかるため、消費者は、溶存量が決して高くない水素水に、高いコストを支払わなければならないという欠点があった。
【００２０】
本発明は、前記課題に鑑みてなされたもので、飲用水となるべき原水に溶存している窒素と酸素を超音波振動処理により脱気してその後脱気水を電気分解し、或いは電気分解の初期において超音波振動処理して脱気と同時に電気分解処理することにより、原水に溶存している窒素と酸素の水素への置換を加速し、水素水の溶存水素濃度を従来に比べて格段に向上することを目的とする。
【課題を解決するための手段】
【００２１】
すなわち本発明は、（１）原水に超音波振動を付与した後に電気分解処理を行うことを特徴とする電解水素水生成方法を提供せんとするものである。
【００２２】
また本発明は、以下の点にも特徴を有する。
（２）電気分解処理中においても原水に対して超音波振動を付与すること。
（３）超音波振動処理と電気分解処理とは、卓上型のポットに収納された原水に対して行いポットから水素水を注水可能としたこと。
（４）水槽部内の原水を溜水として超音波振動処理を行うことにより脱気水を生成し、脱気水を電解処理部に連続して供給しながら電気分解処理行い水素水を生成して取水すること。
【００２３】
また、本発明に係る電解水素水生成装置では、（５）ポット本体内の水槽部と、原水を電気分解するためにポット本体内に対向して配設した陽極板と陰極板よりなる電解処理部と、原水に超音波振動を付与する超音波振動処理部とより構成した。
【００２４】
また、本発明に係る電解水素水生成装置では、以下の点にも特徴を有する。
（６）前記電解処理部は陽極板と陰極板の間に介在する隔膜で区画されて前記水槽部の下部にのみ配設され、酸性水領域は水槽部の液面より上方までを仕切る縦型仕切り筒体で仕切られていること。
（７）対向して配設した陽極板と陰極板の間に介在する隔膜で区画されたアルカリ水領域のみを超音波振動処理すること。
【発明の効果】
【００２５】
請求項１に係る電解水素水生成方法によれば、原水に超音波振動を付与して電気分解処理を行うために、原水に含有された空気を脱気することができ、電気分解処理において生成する水素の溶解が含有空気により干渉されること迅速に且つ可及的大量に行われるため原水溶存水素の含有率を飛躍的に向上することができる効果がある。
【００２６】
一般に水からの脱気手段として超音波振動を水に付与すると水中に高圧部と低圧部が振動方向で順次交互に発生することになり低圧部では水に溶存している気体が気泡として析出することが知られている。本発明ではかかる原理を水素生成装置に応用することにより原水から気体を析出脱気して水の電気分解で生成する水素を原水に溶存しやすい環境を形成し高濃度の水素水を迅速に生成することができるものである。
【００２７】
特に、水素の原水に対する溶解効率は水素気泡径が小さく数が多いほど気泡集合体の全体表面積が大きくなり溶解量が増すとされており、従って、超音波振動の強度調整をすれば陰極板表面に生起した極小の水素気泡を適度な強度の超音波振動で強制的に板面から剥離することができ、その結果気泡集合体の気泡全体の表面積を可及的に大とし脱気水に容易に溶解させることができることになり、その結果生成する水素水は高濃度水素溶解水となる効果がある。
【００２８】
更には、超音波振動により電極板の表面で発生する気泡の離泡性が向上し、しかも、一方の電極板面で発生した泡が他方の電極板面で発生した泡と合体しにくく、電極板から離脱する気泡をより微泡化することができる効果がある。
【００２９】
また、超音波振動により電極板表面における水素（及び酸素）気泡の滞在時間を短縮し、電極板表面が気泡で覆われにくくなる。これにより、電解効率が向上し、電極板表面で気泡が成長しにくく、電極板表面から離脱する水素（及び酸素）を微泡化し、分子レベル水素、ナノバブルやマイクロバブル状態での水素溶存も期待できる。この結果、原水の水素溶存量が向上した高濃度水素水を生成することができる。
【００３０】
請求項２に係る電解水素水生成方法によれば、電気分解処理中においても原水に対して超音波振動を付与することとしたため、脱気されている原水に電気分解により生成する水素を効率良く溶解させることができるのは勿論のこと、陰極表面に生じた水素気泡が微細なうちに陰極から遊離させることができ、水素の溶存率を飛躍的に向上することができる効果がある。
【００３１】
請求項３に係る電解水素水生成方法によれば、超音波振動処理と電気分解処理とは、卓上型のポットに収納の原水に対して行いポットから水素水を注水可能としたので、水素の含有量が向上した水素水をポットからいつでも容易に取得することができ、日常の生活で手軽に高濃度の水素水を容易に摂取することができる効果がある。
【００３２】
請求項４に係る電解水素水生成方法によれば、一定のタンク内に溜めた原水を溜水として超音波振動処理により脱気水を生成するために、脱気溜水を流しながら電解処理部に供給すれば電気分解処理を連続して行い水素水を連続して生成することができる。すなわち、一定の脱気されたタンク内溜水から連続して水素水を生成し摂取するができるので、本来、一定の容器内溜水に対して超音波振動処理をして脱気しその後にその溜水を電気分解処理するバッチ式の水素水生成技術が通常であるが、本発明ではタンク内脱気水を流しながら連続して電気分解することができるため、脱気原水から水素水をバッチ式ではなく連続して生成することができることになり、その分水素の放出を可及的に防ぎ水素水の高濃度状態を保持しながら摂取することができる効果がある。
【００３３】
請求項５に係る電解水素水生成装置によれば、ポット本体内の水槽部と、原水を電気分解するためにポット本体内に対向して配設した陽極板と陰極板よりなる電解処理部と、原水に超音波振動を付与する超音波振動処理部とより構成したので、脱気した原水から充分に水素を溶存した水素水を生成することができる効果がある。
【００３４】
請求項６に係る電解水素水生成装置によれば、対向して配設した陽極板と陰極板がポットの下方にのみ配設されていることにより、発生した水素がポットの液面側に到達するまでの時間を稼ぐことが出来、より水素を溶存させることができる。
【００３５】
請求項７に係る電解水素水生成装置によれば、対向して配設した陽極板と陰極板の間に介在する隔膜で区画されたアルカリ水領域のみを超音波振動処理することにより、陽極板が配設された酸性水領域の脱気のために超音波振動を出力する必要がなく、超音波振動子から発せられる超音波振動をアルカリ水領域に積極的に使用することができ、比較的出力の小さな超音波振動子であっても効率的に水素の溶存を図ることができる。
【図面の簡単な説明】
【００３６】
【図１】実施例１に係る電解水素水生成ポットの構成を示す説明図である。
【図２】原水中の溶存酸素濃度の経時変化を示すグラフである。
【図３】制御部にて行われる処理を示したフローである。
【図４】実施例３の電解水素水生成ポットを説明する図である。
【図５】実施例４の電解水素水生成ポットを説明する図である。
【図６】実施例５の電解水素水生成ポットを説明する図である。
【図７】実施例６の電解水素水生成ポットを説明する図である。
【図８】実施例７の説明図である。
【図９】小型電解装置の構成を示した説明図である。
【図１０】実施例８の説明図である。
【図１１】実施例９の説明図である。
【図１２】実施例１０の説明図である。
【発明を実施するための形態】
【００３７】
本実施形態に係る電解水素水生成方法は、原水に超音波振動を付与して原水を脱気処理し、その後電気分解処理を行って水素水を生成する点に特徴を有している。
【００３８】
特に、本実施形態に係る電解水素水生成方法を実現するにあたっては、その一例として卓上ポット型に形成した水槽部内に原水、例えば水道水などを溜水可能に構成し、ポットの所定箇所に対向配設した陽極板と陰極板よりなる電解処理部を設置し、更には、ポットの下部に超音波振動処理部を配設することを基本としており、かかる構成により超音波振動処理部による原水振動処理によって原水中の空気を脱気させて水素の溶存率を可及的に向上できる状況を形成した上で電気分解により陰極板に生成した水素を脱気した原水に溶存させる方法を挙げることができる。
【００３９】
元来、空気中には20.9％の酸素、78％の窒素が含まれ、水が空気に接することにより、水中には０℃、１気圧の条件のもとで１Ｌあたり酸素14.6mg、窒素22.0mgが溶存可能である。
【００４０】
通常、水素を原水中に通過させると水素は徐々に原水に溶存する。すなわち、溶存している酸素や窒素が水素と置換して水素が原水中に溶存し水素水が生成される。しかし、その置換は緩慢であり高濃度の水素水を短時間で充分に生成することは困難とされる。
【００４１】
本発明はかかる欠点を上記した超音波振動処理部の構成により解消せんとするものである。
【００４２】
以下、図面に基づき各実施例を参照しながら、本発明について具体的に説明する。
【００４３】
[実施例１]
図１において符号Ａ１は、卓上ポット型の電解水素水生成ポットであり、略円筒形状に構成して外周壁１１上部の一部は注ぎ口１１ａを形成している。上部開放部１２には蓋体１３を開閉自在に設けており、外周壁１１の一部には取手１４を突設している。
【００４４】
ポット本体１０内は水槽部１５を形成し原水１６を収納自在にしており、ポット本体１０の外底部１７には独立した電装部１８を設けている。
【００４５】
また、水槽部１５の内底部１９には、陽極板２０ａと陰極板２０ｂとを一定の間隔で対向配設した電解処理部２０を形成しており、各電極板２０ａ,２０ｂには下方の電装部１８から直流で電力が給電される。図中、符号２１は、電装部１８の通電用コードを示し商用交流電源（図示せず）に接続される。
【００４６】
陽極板２０ａと陰極板２０ｂとは金や白金でメッキされたチタン等の導電性金属材料で板状に形成されており、本実施例１においてはこれら対向配設した各電極板２０ａ,２０ｂに間に隔膜（後述）は介在させておらず、原水１６の電解に伴って生成された水素ガスや酸素ガスは、共に原水１６中へ混合状態で拡散する。
【００４７】
電装部１８には、電源部２３や制御部２４や超音波振動処理部２６が装置されている。
【００４８】
電源部２３は、通電用コード２１を介して供給される商用交流電力を直流に変換して制御部２４へ給電する。
【００４９】
制御部２４は、例えばマイコン等の制御回路により構成された制御主体として機能する部位であり、陽極板２０ａと陰極板２０ｂに印加する電圧・極性の制御や、給電のタイマー制御、そのほか超音波振動処理部２６における超音波振動子２５の作動制御などを行う。
【００５０】
超音波振動処理部２６は超音波振動子２５と超音波振動子駆動回路２７とで構成している。超音波振動子２５は、振動数が数10ｋHzから百数10ｋHzまでの範囲の振動となるような超音波振動子である。具体的には一般的な超音波振動子の他にランジュバン型振動子など使用することができる。
【００５１】
また、ポット本体１０の外周壁１１の所定箇所には、操作スイッチ２８と動作確認灯２９が設けられており、これらも制御部２４に電気的に接続されている。操作スイッチ２８を操作すると、電解水素水生成ポットＡ１の電源オン／オフが行える。
【００５２】
このように構成された電解水素水生成ポットＡ１では、ポット本体１０上部の蓋体１３を開放して内部の水槽部１５に水道水などの原水１６を収容して閉蓋し、操作スイッチ２８の電源を入れることにより電解処理部２０及び超音波振動処理部２６に通電される。
【００５３】
この際に制御部２４で超音波振動処理部２６が先に駆動するように制御しておくと、水槽部１５内の原水１６に超音波振動が付与されて原水１６に溶存した空気が脱気される。主に酸素や窒素や少量のアルゴンなどのガス成分が脱気されることになる。
【００５４】
次いで脱気処理の後に電解処理部２０における陽極板２０ａと陰極板２０ｂにそれぞれ直流のプラス、マイナス電気が給電されると、電気分解処理が開始される。すなわち、電解処理部２０においては、対向する各電極板２０ａ,２０ｂの間に電位差が生じるように各電極板２０ａ,２０ｂのそれぞれに電圧が印加されており、例えば、陽極板２０ａに高電圧を印加する場合は陰極板２０ｂに低電圧を印加し、これにより対向する面の間で電気分解が行われ、陰極板２０ｂの板面上に水素ガスが発生し、陽極板２０ａの板面上に酸素ガスが発生する。
【００５５】
原水１６中では超音波振動処理により空気が脱気されているので発生した水素は原水１６中の酸素などの空気成分に阻害されることなく容易に原水１６に溶解し水素の高濃度溶存率を有する水素水を得ることができる。超音波振動処理により空気が脱気されている状況、すなわち、原水に溶存している酸素量が超音波振動を付与することにより溶存酸素量が低下している状況を図２に示すグラフにより説明する。
【００５６】
図２のグラフの縦軸は酸素の溶存量（mg/L）を示し、横軸は経過時間（分）を示しており、超音波振動（54kHzにおいて振動数が数10kHzから百数10kHzまでの範囲の振動）を付与した時の時間経過に伴う酸素溶存量の変化がグラフとして表されている。
【００５７】
すなわち、超音波振動により酸素溶存量は時間の経過、特に30分経過くらいまでに約３分の１位まで低減しその後はほぼ一定の溶存量割合で経過することが判明する。
【００５８】
このようにして酸素溶存量が低減した状況で水素を生成すれば酸素溶存量が低減した分だけ原水への溶存率は向上して高濃度の水素水が生成されることになる。
最後は、ポット本体１０の注ぎ口１１ａから水素水を注ぎ出して飲用に供する。
【００５９】
なお、本実施例１においては超音波振動による水素溶存率向上の効果を検証するために超音波振動を付与しなかった場合での水素の溶存率との対比を行った。その結果、超音波振動をしなかった場合での電解水素水生成では溶存水素量が0.5ppmであったの対し超音波振動付与の場合は溶存水素量が1.0ppmであり溶存水素量を高めることができた。
【００６０】
図１の説明に戻り、電装部１８の制御部２４から伸延する配線は電装部１８内に露出した各電極板２０ａ,２０ｂ基部の接続端子２０ｃ,２０ｄに接続されており、各電極板２０ａ,２０ｂ基部の接続端子２０ｃ,２０ｄはポット内底部１９の挿通孔１９ａにシール材１９ｂで封止される。
【００６１】
以下、電解水素水生成ポットＡ１の制御部２４が実行する処理の流れを図３に示すフローチャートで説明する。
【００６２】
同図に示す処理は、まず使用者により通電用コード２１が商用交流電源へ接続されて、電源部２３から制御部２４へ給電されることにより開始される。
【００６３】
図３に示す処理において、制御部２４は、まず操作スイッチ２８を操作することにより運転開始を指示する。すなわち、制御部２４は、操作スイッチ２８がＯＮ状態か否かの判断を行う（ステップＳ１）。
【００６４】
ここで運転開始操作入力（例えば、２秒以上の長押し等）を受け付けたか否かを判断し、運転開始操作入力を受け付けた場合は（ステップＳ１：Ｙｅｓ）、電解水素水生成ポットＡ１の運転を開始するために処理をステップＳ２へ移す。一方、運転開始操作入力を受け付けていない場合は（ステップＳ１：Ｎｏ）、運転開始操作入力を受け付けるまでステップＳ１の判断を周期的に繰り返し実行する。
【００６５】
ステップＳ２において制御部２４は、制御部２４内に配置されたＲＯＭやＲＡＭ等の記憶手段に予め記憶されている超音波処理時間設定値や、電解処理時間設定値、正電解処理時間設定値の読み込みを行う。ここで超音波処理時間設定値は、超音波処理をどの程度の時間実施するかについて予め設定された値であり、例えば、５分〜６０分程度とすることができる。電解処理時間設定値は、電解処理をどの程度の時間実施するかについて予め設定された値であり、例えば、５〜１５分程度とすることができる。また、電解水素水生成ポットＡ１では、電極にスケール等の付着を防止するため、所定時間正電解を行うと短時間の逆電解を行うこととしており、前述の正電解処理時間設定値は、正電解処理をどの程度の時間実行するかについて予め設定した値である。本実施形態では一例として、正電解処理時間設定値を２９秒に設定している。
【００６６】
また、本ステップＳ２では、超音波稼動タイマのリセットを行う。制御部２４内では、ハードウェア又はソフトウェアにより幾つかのタイマを実現しており、そのうちの一つである超音波稼動タイマは、超音波の処理時間を経時するための手段として利用される。
【００６７】
次に制御部２４は、超音波振動子駆動回路２７に対して稼動命令を出力する（ステップＳ３）。この処理により、超音波振動子２５より超音波が発せられ、ポット本体１０内に収容されている原水１６からの脱気が開始される。
【００６８】
すなわち、先に超音波振動処理部２６へ給電を開始することにより水槽部１５内の原水１６に超音波振動を付与し、原水１６中に含有されている空気を脱気し、その後に電解処理部２０において生成される水素の溶解、溶存を可及的迅速に行うことができるようにする。このようにして原水１６の水素溶存率を向上して高濃度の水素水を生成することが出来るようになる。
【００６９】
次に制御部２４は、超音波稼動タイマの値が、超音波処理時間設定値以上の値であるか否かについて判断を行う（ステップＳ４）。ここで、超音波稼動タイマの値が超音波処理時間設定値以上ではない（超音波処理時間設定値未満である）と判断した場合（ステップＳ４：Ｎｏ）は、処理をステップＳ５へ移す。
【００７０】
ステップＳ５において制御部２４は、超音波稼動タイマのカウントを進め、更に経時を継続する。なお、次ステップであるステップＳ５ａは、超音波処理と並行して実施すべき作業がある場合に実行される処理であり、本電解水素水生成ポットＡ１では特に処理を実行しないこととしているが、後述する他の電解水素水生成ポットにおいては、このステップＳ５ａが実行される場合がある。ステップＳ５又はステップＳ５ａを行った後、制御部２４は処理をステップＳ４へ戻す。
【００７１】
一方、ステップＳ４において超音波稼動タイマの値が超音波処理時間設定値以上であると判断した場合（ステップＳ４：Ｙｅｓ）は、制御部２４は、予め設定された脱気時間が経過したとして、超音波振動子駆動回路２７に対して停止命令を出力し、超音波振動子２５の超音波発振を停止させて脱気作業を終了する（ステップＳ６）。
【００７２】
また、同ステップＳ６では、後に続く電解処理のために、電解稼動タイマや正電解稼動タイマのリセットを行う。電解稼動タイマは、電解処理の時間を経時するための手段として利用されるものであり、また、正電解稼動タイマは、正電解をどの程度の時間実行したかについて経時する手段として利用される。
【００７３】
次に制御部２４は、陽極板２０ａを高電位、陰極板２０ｂを低電位に電圧を印加して通電し、正電解処理を行う（ステップＳ７）。また併せて、電解稼動タイマ及び正電解稼動タイマのカウントを進める処理を行う。
【００７４】
次いで制御部２４は、電解稼動タイマの値が電解処理時間設定値以上の値であるか否かについて判断を行う（ステップＳ８）。ここで電解稼動タイマの値が電解処理時間設定値以上の値ではない（電解処理時間設定値未満の値である）と判断した場合（ステップＳ８：Ｎｏ）は、制御部２４は、電解を継続すべき時間は未だ経過していないとして処理をステップＳ１０へ移す。
【００７５】
ステップＳ１０において制御部２４は、正電解稼動タイマの値が正電解処理時間設定値以上であるか否かについて判断を行う。ここで正電解稼動タイマの値が正電解処理時間設定値以上ではない（正電解処理時間設定値未満の値である）と判断した場合（ステップＳ１０：Ｎｏ）は、制御部２４は、逆電解を行うタイミングではないとして処理を再びステップＳ７へ移す。一方、正電解稼動タイマの値が正電解処理時間設定値以上であると判断した場合（ステップＳ１０：Ｙｅｓ）は、制御部２４は逆電解を行うタイミングであるとして処理をステップＳ１１へ移す。
【００７６】
ステップＳ１１において制御部２４は、所定時間（例えば１秒間）だけ、陽極板２０ａを低電位、陰極板２０ｂを高電位に電圧を印加して通電し、逆電解処理を行う。また、本ステップにおいて制御部２４は、正電解稼動タイマをリセットし、処理をステップＳ７へ移して再び正電解を開始する。
【００７７】
ステップＳ８の説明に戻り、本ステップにおいて制御部２４が、電解稼動タイマの値が電解処理時間設定値以上の値であると判断した場合（ステップＳ８：Ｙｅｓ）は、制御部２４は、予め設定された電解時間が経過したとして処理をステップＳ９へ移す。
【００７８】
ステップＳ９において制御部２４は、電解処理部２０への通電を停止することで運転停止の処理を行い、一連の処理を終了する。
【００７９】
このように電解水素水生成ポットＡ１によれば、当初原水であったポット本体１０内の水は、まず脱気がなされてより多くの水素が溶存可能な状態となり、その後電解に供されることで高濃度の水素を含有した電解水素水が生成される。
【００８０】
なお、運転中には、動作確認灯を点灯させる運転表示を行うことができ、動作確認灯２９として複数色のＬＥＤを設ける場合は、発光色を一定周期で切り替えて発光させてもよい。発光色の切り替えタイミングとしては、例えば、超音波振動処理と電気分解処理の切り替えのタイミングとすることができる。具体的には、超音波振動処理作動で動作確認灯２９を例えば赤色に点灯させ、次に電気分解処理に切り替わると同時に動作確認灯２９を青色に点灯させる等が考えられる。また、操作スイッチ２８に対して所定の操作入力（例えば、２秒未満の押圧操作等）を行った際に、点灯色を切り替える構成としてもよい。
【００８１】
以上説明したように電装部１８の正電解モードと逆電解モードとの切り替え構成や動作確認灯２９を制御することにより、各電極板２０ａ,２０ｂへの炭酸カルシウムスケールの付着を防止することができ高い電解性能を維持しつつ装置寿命を長寿命化することができる。しかも、動作確認灯２９の点灯により、水素水の生成運転状況を使用者に知らしめることもできる。
【００８２】
［実施例２］
実施例１では、超音波振動処理部２６による原水１６への超音波振動付与タイミングンを電気分解処理工程の前に行う、すなわち、超音波振動を付与した後に電気分解処理を開始するように構成しているが、他の実施例として特に制御部２４の制御作動は、超音波振動子２５の作動中に電解処理部２０から水素を発生させるよう構成したり、電解処理部２０による水素生起中に超音波振動子２５が作動するように構成することとしても良い。
【００８３】
これにより電解処理部２０の電極板面に生成付着した水素を板面から剥離促進して円滑に且迅速に剥離水素を脱気原水に溶解することができる。すなわち、電気分解中でも超音波振動子２５を駆動させることができ、更なる溶存水素量の向上が見込まれる。
【００８４】
具体的な構成の一例としては、例えば、前述の実施例１にて説明した処理フロー（図３）上において、ステップＳ５ａの並行作業処理として、超音波稼動タイマが所定時間となった際に正電解を開始するよう構成することでも実現可能である。
【００８５】
特に、図１において示したように、超音波振動子２５は、陽極板２０ａに比して陰極板２０ｂに近い位置に配設している。
【００８６】
超音波振動子２５の設置位置は、前述の実施例１の如く電解中に超音波振動を付与しない場合は、ポット本体１０内に収容した原水１６を脱気可能な位置であれば特に限定されるものではないが、本実施例２のように電解中にも超音波振動を発する場合には、陰極板２０ｂや陰極板２０ｂ近傍の原水１６に対して積極的に超音波振動を付与すべく、陰極板２０ｂに近い位置とすることで、電極板面に生成付着した水素の板面からの剥離促進を図ることができる。
【００８７】
すなわち、電極板面に生成付着している水素気泡は、時間と共に電極板面で徐々に成長して肥大化し、その気泡の浮力が電極板面に対する付着力を上回った際に原水中に遊離すると考えられるが、超音波振動を付与することにより、遊離可能な浮力を獲得する以前の極微細な気泡の段階で電極板面より強制的に剥離することで、径の小さな無数の水素気泡を発生させ気泡集合体としての原水１６に対する全体表面積を大きくすると共に、気泡が原水１６の水面に浮かび上がるまでの時間（原水１６中における気泡の滞在時間）を長くして、溶存水素量の向上が行われる。
【００８８】
但し、電気分解中に超音波振動を長時間付与し続けていると電気分解で生成した水素が原水１６にせっかく溶解しているのに溶解水素までも脱気されてしまい逆効果を生起する虞がある。そのために超音波振動子２５はタイマー作動制御を行い規定の時間だけ作動したり、間欠的に作動したり、振動の強弱を調整作動したりするように構成することができる。
【００８９】
特に、超音波振動の強度調整をすれば陰極板表面に生起した極小の水素気泡を適度な強度の超音波振動で強制的に板面から剥離することができ、その結果気泡集合体の気泡全体の表面積を可及的に大とし脱気原水に容易に溶解させることができることになり、その結果生成する水素水は高濃度水素溶解水となる効果がある。
【００９０】
なお、水素を陰極板２０ｂから剥離するための超音波振動の強度は、超音波振動による原水からの脱気量を超える水素量が脱気に代わって溶存される程度の強度とする。
【００９１】
このように構成することにより電気分解で順次生成される水素は超音波振動で脱気された原水１６に円滑に溶解し水素溶存率の高い水素水を生成することができる。
【００９２】
［実施例３］
実施例３では、図４に示す電解水素水生成ポットＡ３ように、ポット本体１０内の電解処理部２０の陰極板２０ｂそのものを超音波振動子２５に構成して水素の生成と共に超音波振動を付与することができるように構成する。
【００９３】
陰極板２０ｂと超音波振動子２５とを兼用した具体的な構造は、例えば洗浄機用振動子やランジュバン型振動子の一部に陰極板２０ｂを付設して電極機能と超音波振動機能を兼用させる構造とする場合や超音波振動子の振動部を電解のための陰極に形成する構造とする場合等がある。
【００９４】
このように構成することによりポット内の簡単な構造によって脱気した原水に水素を迅速に溶存させて高濃度の水素水を生成することができる。
【００９５】
［実施例４］
実施例４では、図５に示すように、電解水素水生成ポットＡ４の蓋体１３を気密状に構成しておき、水槽部１５に貯留した原水１６の液面上方の蓋体１３との空間部３２の空気を電装部１８に配設した吸引ポンプ３０により吸引パイプ３１を介して吸引して減圧しその後に超音波振動を付与する。
【００９６】
その結果、原水１６に溶存する酸素量の低減速度が約倍の速度で行われることが判明した。すなわち、ポット本体１０内においてかかる液面上方空間部３２の減圧処理をしなかった場合は原水１６に溶存した酸素量8.84mg/Lを3 mg/Lにまで低減するために約45分間を要した。しかし、液面上方空間の減圧処理をした場合は原水に溶存した酸素量8.84mg/Lを3 mg/Lにまで低減するのに要する時間を約20分に短縮することができた。
【００９７】
このようにポット内の空間部３２を可及的に減圧して真空状態に近づけるほどに酸素溶存量を低減するのに要する時間を短縮することができることが検証できた。
【００９８】
すなわち、ポット本体１０内を減圧状態にして超音波振動による脱気処理をすれば酸素溶存量を迅速に低減することができるためその分水素を迅速に原水１６に溶存することができ、従って水素水の生成時間を大幅に短縮することができることになり、日常の生活での水素水生成作業が容易となって水素水の飲用摂取習慣を確立しやすくなる効果がある。
【００９９】
なお、本実施例４では、電装部１８内に吸引ポンプ３０を配設することで空間部３２を減圧状態とすることとしたが、超音波付与による脱気効果を促進可能な程度に空間部３２を減圧可能な構成であれば特に限定されるものではなく、例えば蓋体１３に空間部３２へ連通する脱気管を設け、同脱気管に手動式のハンドポンプを接続して脱気できるよう構成しても良いのは勿論である。
【０１００】
［実施例５］
実施例５では、図６の電解水素水生成ポットＡ５に示すように、ポット本体１０内の水槽部１５と、原水１６を電気分解するためにポット本体１０内に対向して配設した陽極板２０ａと陰極板２０ｂよりなる電解処理部２０と、原水に超音波振動を付与する超音波振動処理部２６とより構成すると共に、水槽部１５内に円筒や角筒など筒状の縦型仕切り筒体３４を収納し、その下部には隔膜３３を張設し隔膜３３を間に挟んで隔膜３３の外側、すなわち、縦型仕切り筒体３４の外側には陰極板２０ｂを、隔膜３３の内側、すなわち、縦型仕切り筒体３４の内側には陽極板２０ａがそれぞれ原水に浸漬された状態で立設されており、電装部１８の電源部２３及び制御部２４を介して直流電流が各電極板に給電されている。しかも、ポット本体１０のアルカリ水領域の底部にはランジュバン型の超音波振動子３５が配設されており、制御部２４から通電されて水槽部１５の原水１６に超音波振動を付与するように構成されている。
【０１０１】
実施例１の電解水素水生成ポットＡ１と比較すると本実施例では水槽部１５中に縦型仕切り筒体３４と隔膜３３を有する電解処理部２０を収納配設したことに特徴がある。
【０１０２】
そして電解処理部２０は下方にのみ配設され、円筒状の陽極板２０ａと陰極板２０ｂが隔膜３３を介して対向して配置されている。
【０１０３】
電解処理部２０の上端から延出する縦型仕切り筒体３４は蓋体１３により着脱自在に閉止されているが、閉止状態でも大気と連通可能となっている。
【０１０４】
縦型仕切り筒体３４の中途部には連結部３４ａが形成され、水槽部１５内に水を供給する際に縦型仕切り筒体３４の連結部３４ａより上方が上部開放部１２、蓋体１３とともに離脱出来るようにしている。
【０１０５】
このような構成により縦型仕切り筒体３４の水の供給位置を下げて、縦型仕切り筒体３４の内部に水を供給しやすくしている。
【０１０６】
従って、本実施例では実施例１の基本的な効果と共に次のような特徴的な効果を生起する。
【０１０７】
電解処理部２０の隔膜３３で区画された各領域の原水が脱気され陰極板２０ｂで生成される水素は脱気された原水に速やかに溶解し高濃度の水素水を得ることができると共に生成した酸素の溶解も容易に行われ酸素水としての用途を別途考慮することができ、しかもかかる酸素は隔膜３３と縦型仕切り筒体３４の存在により決して水素水に混在することはない。
【０１０８】
しかも電解処理部２０は下方にのみ配設され、液面までの間は縦型仕切り筒体３４で仕切られているので、生成された水素は液面に到達するまでに十分な時間を稼ぐことが出来、溶存を促進することが出来る。
【０１０９】
すなわち、隔膜３３で区画された縦型仕切り筒体３４内は電気分解により陽極板２０ａ面に酸素を生起し外側の陰極板２０ｂ面に水素を生起する。しかも、縦型仕切り筒体３４の内部の原水は酸性水となり、外側の原水はアルカリ水となり、超音波振動は酸性水領域には伝搬し難く、アルカリ水の領域のみに振動を付与することになる。従って、水槽部１５内の縦型仕切り筒体３４外方においては陰極板２０ｂに水素が生起し、しかも、予め縦型仕切り筒体３４外方領域の原水、すなわち、アルカリ水領域には超音波振動が付与されているため陰極板２０ｂに生起した水素はアルカリ水に容易に溶解し高濃度の水素水を短時間で生成することができる。しかも、水槽部１５が縦型仕切り筒体３４及び隔膜３３によって内外区画されているためにアルカリ水と酸性水が混じり合うことがなく、従って、陽極板２０ａで発生する酸素がこれから生成しようとする水素水に溶存することはない。
【０１１０】
付言すれば、本実施例５では、対向して配設した陽極板２０ａと陰極板２０ｂの間に介在する隔膜３３で区画されたアルカリ水領域のみを超音波振動処理するようにしており、遊離可能な浮力を獲得する以前の極微細な気泡の段階で陰極板２０ｂより強制的に剥離することで、径の小さな無数の水素気泡を発生させ気泡集合体としての原水１６に対する全体表面積を大きくすると共に、気泡が原水１６の水面に浮かび上がるまでの時間（原水１６中における気泡の滞在時間）を長くして、溶存水素量の向上が行われる。
【０１１１】
しかも、生成されたアルカリ水に溶存している水素ガスは、分子が極めて小さいために隔膜３３を介して酸性水領域側に漏出してしまう可能性があるが、酸性水領域側へは隔膜３３や縦型仕切り筒体３４により超音波振動が伝搬しにくい構成として酸性水領域の脱気が起こらないよう敢えて構成しているため、酸性水領域側を酸素ガスで飽和しておくことができ、酸性水に水素ガスが溶存できる余地を少なくしておくことで、アルカリ水の溶存水素濃度の低下を抑制できて、高い溶存水素濃度のアルカリ水を生成することができる。
【０１１２】
また、水槽部１５の原水液面に薄いシートや軽量薄板等の隔離部材を浮かせるか位置させて電気分解の水素を生成すると、液面上方のポット本体１０内空気層に脱気後に上昇到達した酸素や窒素ガスが原水に再溶存して還元することを防止できる効果がある。なお、より酸素や窒素ガスを脱気させやすくするためには超音波振動処理部２６による脱気後に自動的もしくは手動で上記隔離部材が位置するようにすれば望ましい。
【０１１３】
［実施例６］
次に、実施例６について説明する。図７は、本実施例６に係る電解水素水生成ポットＡ６の輪切り方向断面を示した説明図である。なお、実施例５にて参照した図６中の断面を表す符号Ａ−Ａは、図７の切断位置の理解を容易とするために目安として示しているが、別実施例であることに留意されたい。電解水素水生成ポットＡ６は、図６を参照しつつ説明した電解水素水生成ポットＡ５を基本構成としつつ、超音波振動子３５を電解処理部２０における陽極板２０ａ及び陰極板２０ｂの各電極板領域に跨って配設した構成としている。
【０１１４】
そして、超音波振動子３５は陽極板２０ａ及び陰極板２０ｂの各電極板領域に跨って超音波振動を付与してそれぞれの領域の原水を脱気し、その後、電解処理部２０により陰極板２０ｂは水素を生起し、生成した水素を陰極板領域の原水に溶解すると共に、陽極板２０ａには酸素が生成し陽極板領域の原水に酸素を付与する。
【０１１５】
このように構成することにより電解処理部２０の隔膜３３で区画された各領域の原水が脱気され陰極板２０ｂで生成される水素は脱気された原水に容易に溶解し高濃度の水素水を得るころができると共に生成した酸素の溶解も容易に行われ酸素水としての用途を別途考慮することができ、しかもかかる酸素は隔膜３３の存在により決して水素水に溶存することはない。
【０１１６】
［実施例７］
実施例７では、図８に示すように、ポットＢの内底部１９に超音波振動子２５を配設してポット本体１０の水槽部１５に収納した原水１６に超音波振動を付与することができるように構成し、水槽部１５内に小型電解装置３６を投入可能としている。従って、まず超音波振動子２５を作動させて原水１６を脱気しその後水槽部１５内の脱気原水中に超小型の小型電解装置３６により生成した水素を溶解させる。
【０１１７】
小型電解装置３６を投入するポット本体１０内の原水１６は超音波振動子２５で脱気されているので小型電解装置３６から生成され放出される水素は容易に脱気原水に溶解し高濃度の水素水を簡便に作ることができる。
【０１１８】
小型電解装置３６は、図９に示すように、ケース３６ａ内に蓄電部３６ｂと流水路中途部に介設した電解機器部３６ｃとポンプ部３６ｄを収納して構成されており、ポンプ部３６ｄにより原水１６を取り込みながら流水路に流しその中途において電極部３６ｅにより原水を電気分解して水素を生成しケース３６ａ外に水素を脱気原水中に放出して溶解させ水素水を生成する。
【０１１９】
かかる水素水生成装置は、ポット本体１０に水素を生成する機器を設ける必要がなり、小型電解装置３６をポット内に投入する簡単な操作で水素水を生成することができることになり水素水を飲用するためのポットの操作や取扱いが簡便となる効果がある。
【０１２０】
［実施例８］
実施例８では、図１０（ａ）に示すように、超音波振動子４１を具備するマドラー４０を用い、図１０（ｂ）に示すように、コップ４２等の容器に原水１６を収納してマドラー４０により超音波振動子４１を作動状態として原水１６を撹拌して容器内の原水１６を脱気し、次いで脱気原水の中に実施例７にて説明した小型電解装置３６を投入するようにしている。
【０１２１】
マドラー４０は、マドラー筐体４５内に蓄電部４６と制御部２４とを収納している。蓄電部４６は超音波振動子４１への給電機能を果たし、また、制御部２４は超音波振動子駆動回路２７を介して超音波振動子４１の超音波発振制御を行う。
【０１２２】
本実施例では超音波振動子４１や小型電解装置３６等の機器が容器とは別体に構成するため容器に付随して設けておく必要がなく、従っていかなる容器、例えばポットやグラスやペットボトルなど水素水を飲用するに際して便利な容器を選択して使用することができるので日常の生活で手軽に水素水を摂取することができる効果がある。
【０１２３】
更には、マドラー４０により超音波振動子４１を作動状態で原水１６を撹拌脱気するものであるため容器内の原水１６の隅々まで手動で撹拌操作が行えることになり迅速に且つ充分な原水脱気機能を果たすことができその後の水素の溶解処理を円滑に行える効果がある。
【０１２４】
［実施例９］
図１１（ａ）に示すように、実施例９では、実施例８と同様に超音波振動子４１を先端に具備するマドラー４４であって、その先端から中途部には原水１６の電気分解機能を果たす電解処理部２０を構成している。
【０１２５】
すなわち、マドラー４４に超音波振動子４１と電解処理部２０とを具備構成している。使用に際しては、図１１（ｂ）に示すように、コップ等の容器に原水１６を収納してマドラー４４を原水１６に浸漬してマドラー４４の超音波振動子４１を作動状態として原水１６を撹拌して原水１６を脱気し、その後に電解処理部２０を作動状態とし更に撹拌して電極板２０ａ,２０ｂに接する原水１６を電気分解して水素を生成し溶解して水素が高濃度で溶存した水素水を生成することができる。
【０１２６】
図中、符号４４ａはマドラー４４のグリップ部４４ｃに設けた超音波振動子の操作部、符号４４ｂは電解処理部２０の操作部を示す。
【０１２７】
マドラー４４は、マドラー筐体４５内に蓄電部４６とマドラー撹拌動作に伴い原水を流水接触させて電極板２０ａ,２０ｂの電解作動を生起する制御部２４とを収納している。蓄電部４６は超音波振動子４１への給電機能も果たし、また、制御部２４は超音波振動子駆動回路２７を介して超音波振動子４１の超音波発振制御も行う。
【０１２８】
この実施例９においては、原水１６の容器に超音波振動子４１や電解処理部２０を装置する必要がないため水素水を収容する容器の種類を選ぶ必要がなく水素水を飲用しやすい好みの容器を選択することができる。更にはマドラー４４を携行するだけでいつでもどこでも簡便に水素水を生成することができ日常生活で手軽に高濃度の電解水素水の摂取ができる効果がある。なお、本実施例では、図１１（ｂ）に示したように脱気処理する際に使用者が超音波処理ボタン４４ａを押下し、電解処理する際に電解処理ボタン４４ｂを押下するよう構成したがこれに限定されるものではなく、例えば、水を貯留したコップ４２内にマドラー４４を挿入し、ボタン一つ押下するだけで脱気処理に引き続き電解処理が行われるよう構成しても良い。また、脱気処理と電解処理は、自動的に又は使用者の操作により、一時的に又は必要に応じて併用されるよう構成しても良い。
【０１２９】
［実施例１０］
実施例１０では、タンク５０内に溜めた原水１６を溜水としてまず超音波振動処理により脱気水を生成し、脱気溜水をタンク５０から流しながら電解処理部２０として機能する水素水生成装置６０に連続して供給すれば流水する脱気水は水素水生成装置６０に連続して流入して電気分解処理が連続して行われ水素水を連続して生成することができるように構成している。
【０１３０】
具体的は、原水供給配管５１を通じてタンク５０内に原水１６を供給可能に構成すると共に、タンク５０には超音波振動子５２を配置して、タンク５０内に貯留された原水１６に対して超音波を付与して脱気可能としている。図１２中において符号５３は、超音波振動子５２から超音波を発するための超音波振動子駆動装置である。
【０１３１】
また、タンク５０上部には、タンク５０内で原水１６の水面上方に形成された空間部５３を減圧するための減圧配管５４が接続されており、脱気ポンプ５４ａを駆動させることにより、原水１６からの脱気効果を促進するよう構成している。
【０１３２】
また、タンク５０の下部には、タンク５０内で脱気された脱気原水を吐出させるための脱気原水吐出配管５５が接続されており、吐出ポンプ５５ａを駆動させることにより、水素水生成装置６０に対して脱気原水を供給可能としている。
【０１３３】
水素水生成装置６０は、内部に電解槽を備えた所謂アルカリ水素水生成器であり、脱気原水吐出配管５５を通じて供給された脱気原水を電解することで、電解槽の陰極側にて生成されたアルカリ性の水素水を取水口６１より取水可能としている。
【０１３４】
そして、このような構成を備える水素水生成システムによれば、一定の脱気がなされたタンク５０内の溜水から連続して電気分解した水素水を生成し取水するができるので、本来、一定の容器内溜水に対して超音波振動処理をして脱気しその後にその溜水を電気分解処理するバッチ式の水素水生成技術と対比して、本実施例ではタンク５０内脱気水を流しながら連続して電気分解することができ、脱気原水から電気分解処理により水素水をバッチ式ではなく連続して生成することができることになり、その分生成中途での水素の損出を可及的に防ぎ水素水の高濃度状態を保持して水素水の摂取をすることができる効果がある。
【０１３５】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【０１３６】
例えば、上述した実施例１〜実施例１０における各構成は、その機能を阻害しない範囲内において、それぞれ別の実施形態に適用することができ、これらの構成もまた本発明の概念に含まれる。
【符号の説明】
【０１３７】
１０  ポット本体
１１  外周壁
１６  原水
１８  電装部
２０  電解処理部
２０ａ  陽極板
２０ｂ  陰極板
２３  電源部
２４  制御部
２５  超音波振動子
２６  超音波振動処理部
２７  超音波振動子駆動回路
３０  吸引ポンプ
３１  吸引パイプ
３２  空間部
３３  隔膜
３５  超音波振動子
３６  小型電解装置
４０  マドラー
４１  超音波振動子
４４  マドラー
５０  タンク
５２  超音波振動子
５３  空間部
５４  減圧配管
５５  脱気原水吐出配管
６０  水素水生成装置
６１  取水口
Ａ１  電解水素水生成ポット
【図１】
2018001069.tif 000004
【図２】
2018001069.tif 000005
【図３】
2018001069.tif 000006
【図４】
2018001069.tif 000007
【図５】
2018001069.tif 000008
【図６】
2018001069.tif 000009
【図７】
2018001069.tif 000010
【図８】
2018001069.tif 000011
【図９】
2018001069.tif 000012
【図１０】
2018001069.tif 000013
【図１１】
2018001069.tif 000014
【図１２】
2018001069.tif 000015